(57)【要約】【課題】表示装置に接触するだけで表示面に表示される入力キー等の位置を容易に把握可能な表示装置。【解決手段】表示装置１０は、情報が表示される表示面１１と、表示面１１とは異なる外表面１４とを備え、外表面１４に周囲と異なる触感を備えて接触位置を認識可能とする検知部１３が設けられている。検知部１３は、表示面１１に表示されるキー１２に対応する位置に設けられており、外表面１４から突出する突出部や、外表面１４から窪む凹部や、表面性状が周囲と異なる領域や、硬度が周囲と異なる領域により形成されている。【選択図】図１
2019091336.tif 000002
【特許請求の範囲】
【請求項１】
情報が表示される表示面と、前記表示面とは異なる外表面とを備え、前記外表面に周囲と異なる触感を備えて接触位置を認識可能とする検知部が設けられている表示装置。
【請求項２】
前記検知部は、前記外表面のうち、前記表示面に表示されるひとつまたは複数の仮想的なキーに対応する位置に設けられている請求項１に記載の表示装置。
【請求項３】
前記検知部は、前記外表面から突出する突出部により形成されている請求項１または請求項２に記載の表示装置。
【請求項４】
前記検知部は、前記外表面から窪む凹部により形成されている請求項１または請求項２に記載の表示装置。
【請求項５】
前記検知部は、表面性状が周囲と異なる領域により形成されている請求項１ないし請求項４のいずれか一項に記載の表示装置。
【請求項６】
前記検知部は、硬度が周囲と異なる領域により形成されている請求項１ないし請求項４のいずれか一項に記載の表示装置。
【請求項７】
前記外表面を構成するカバーを含み、前記検知部は前記カバーに設けられている請求項１ないし請求項６のいずれか一項に記載の表示装置。
【発明の詳細な説明】
【技術分野】
【０００１】
本発明は、表示面に表示された入力キー等の位置を、目視することなく把握可能な表示装置に関する。
【背景技術】
【０００２】
近年、例えばスマートフォンのようなタブレット型の表示装置が急速に普及している。このようなタブレット型の表示装置は、例えば従来のキーボードを備えたパーソナルコンピューターやプッシュボタン式の携帯電話と異なり、情報表示面に表示された仮想キーで入力を行うようになっている。換言すれば、情報表示面に仮想キーが表示されるだけで、触感によりキーの位置を認識することができないため、実際に入力を行う際には、視覚的にキーの位置を確認せざるを得ない。
【０００３】
このため、キーの位置を容易に把握可能とするツールが提案されている。例えば特許文献１には、情報表示面上の特定のキーの表示領域に突起を設けることにより、仮想キーを目視することなくそれらの位置を把握し、入力を行うことができる情報処理装置が開示されている。ユーザーは、突起位置により指の基準位置（ホームポジション）やキーの間隔を認識可能となり、ブラインドタッチでキー入力を行うことができる。
【先行技術文献】
【特許文献】
【０００４】
【特許文献１】特開２０１２−２４３１５３号公報
【発明の概要】
【発明が解決しようとする課題】
【０００５】
しかし、上述した情報処理装置では、情報表示面上に入力キーが表示されていない場合には、突起が視界の邪魔になるという問題がある。また、スワイプ、フリック、ドラッグ、ピンチアウト、ピンチインのような情報表示面上を使用した処理を行う際に、指が突起に引っ掛かり、スムーズな操作の妨げとなるという問題がある。
【０００６】
また、このような問題を解決するために、例えば着脱可能な補助シート等に突起を設けることも考えられるが、そのような構成は補助シートを使用時に装着し、不使用時に取り外す作業が必要となり、煩わしい。
【０００７】
本発明は上記のような事情に基づいて完成されたものであって、表示面に表示される入力キー等の位置を目視することなく把握可能な表示装置を提供することを目的とする。
【課題を解決するための手段】
【０００８】
本発明は、情報が表示される表示面と、前記表示面とは異なる外表面とを備え、前記外表面に周囲と異なる触感を備えて接触位置を認識可能とする検知部が設けられている表示装置である。
【０００９】
上述した本発明の表示装置によれば、外表面の特定の位置に検知部を設けることにより、ユーザーはキー入力を行う際に表示装置の外表面に接触するだけで、検知部の触感の違いにより、表示装置のどの部分に接触しているのか認識することができる。従って、表示面をわざわざ目視しなくても、接触位置からキーの位置を把握してキー入力することが可能となる。
【００１０】
また、検知部は表示面上ではなく外表面に設けられているから、検知部が視界の邪魔になったり、表示面上を使用した操作を行う際に操作の妨げとなることがない。
【００１１】
上記表示装置は、以下の構成としてもよい。
【００１２】
検知部は、外表面のうち表示面に表示されるひとつまたは複数の仮想的なキーに対応する位置に設けられていてもよい。このような構成によれば、キーの位置をより正確に把握することができる。
【００１３】
なお、対応する位置とは、外表面のうち、例えば特定のキーに隣接する位置であったり、特定のキーの裏側であったり、特定のキーの端であったり、隣り合うキーの境界部である場合を含む。
【００１４】
検知部は、外表面から突出する突出部により形成されていてもよい。
【００１５】
検知部は、外表面から窪む凹部により形成されていてもよい。
【００１６】
検知部は、表面性状が周囲と異なる領域により形成されていてもよい。
【００１７】
さらに検知部は、硬度が周囲と異なる領域により形成されていてもよい。
【００１８】
これらの構成により、本発明の具体的構成を実現することができる。
【００１９】
さらに、表示装置は外表面を構成するカバーを含み、検知部はカバーに設けられていてもよい。
【発明の効果】
【００２０】
本発明によれば、表示面に表示される入力キー等の位置を目視することなく把握可能な表示装置が得られる。
【図面の簡単な説明】
【００２１】
【図１】実施形態１の表示装置の平面図
【図２】実施形態１の変形例１の表示装置の平面図
【図３】実施形態１の変形例２の表示装置の平面図
【図４】実施形態２の表示装置の平面図
【図５】実施形態３の表示装置の平面図
【図６】実施形態４の表示装置の平面図
【図７】実施形態５の表示装置の右側面図
【図８】実施形態６の表示装置の平面図
【図９】同じく右側面図
【図１０】実施形態７の表示装置の背面図
【図１１】図１０のＡ−Ａ断面図
【図１２】実施形態８の表示装置の断面図
【図１３】実施形態９の表示装置の背面図
【図１４】図１３のＢ−Ｂ断面図
【図１５】実施形態１０の表示装置の背面図
【図１６】図１５のＣ−Ｃ断面図
【図１７】実施形態１１の表示装置の背面図
【図１８】図１７のＤ−Ｄ断面図
【図１９】実施形態１１の変形例１の表示装置の断面図
【図２０】実施形態１２の表示装置の背面図
【図２１】実施形態１２の変形例１の表示装置の背面図
【図２２】実施形態１２の変形例２の表示装置の背面図
【図２３】実施形態１３の表示装置の背面図
【図２４】実施形態１３の変形例１の表示装置の背面図
【図２５】実施形態１４の表示装置の背面図
【図２６】実施形態１４の変形例１の表示装置の背面図
【図２７】表示面に音声マイク用のキーを表示させた状態の表示装置の平面図
【図２８】実施形態１５の表示装置の背面図
【図２９】図２８のＥ−Ｅ断面図
【図３０】実施形態１５の変形例１の表示装置の断面図
【図３１】実施形態１５の変形例２の表示装置の断面図
【図３２】実施形態１５の変形例３の表示装置の断面図
【図３３】実施形態１５の変形例４の表示装置の背面図
【図３４】実施形態１５の変形例５の表示装置の背面図
【発明を実施するための形態】
【００２２】
＜実施形態１＞
本発明の実施形態１を図１によって説明する。なお、以下の説明においては図１を基準とし、図１の上を上方、下を下方、右を右方、左を左方とする。また、図１において紙面と直交する方向を基準として、紙面手前側を表側、その反対側を裏側とする。
【００２３】
本実施形態の表示装置１０は扁平な略長方形の板状であって、その一面（表側）が、情報が表示される表示面１１とされている。この表示装置１０は、例えばスマートフォンのように比較的小型であって、片手で把持可能な大きさとされている。
【００２４】
表示面１１に文字入力用の複数のキー１２が表示された状態において、複数のキー１２は、表示面１１のうち下方側の領域に配置されている。キー１２は、左右方向に５列、上下方向に４段並んで表示されている。
【００２５】
本実施形態の表示装置１０は、外表面１４のうち右側面に、把持位置を検知するための検知部１３を備えている。検知部１３は、右側面のうち上から二段目のキー１２Ｂに対応する領域（隣接する領域）の全体が外側（図１の右側）に向けて突出する突出部とされている。具体的には、外表面１４のうち右側面において、表示面１１における特定キー（二段目のキー１２Ｂ）から、矩形状の表示装置１０の下辺（上辺）に平行に沿った延長線上にある部分に、該延長方向に突出する突出部が設けられている。この検知部１３の突出方向の先端面は、平坦面とされている。
【００２６】
上述したような本実施形態の表示装置１０によれば、外表面１４の特定の位置に検知部１３が設けられているから、ユーザーはキー入力を行う際に、例えば片手で表示装置１０を把持するだけで、検知部１３の触感により表示装置１０のどの部分を把持しているのか認識することができる。従って、表示面１１をわざわざ目視しなくても、把持位置からキー１２の位置を把握してキー入力することが可能となる。また、検知部１３により、キー入力の最中に把持位置や入力位置がずれることを回避することができる。
【００２７】
＜実施形態１の変形例１＞
図２は実施形態１の変形例の一例である。この表示装置１０Ａには、右側面に設けられた第１検知部１３Ａだけでなく、左側面にも、第１検知部１３Ａと同様の形態の第２検知部１３Ｂが設けられている。第１検知部１３Ａと第２検知部１３Ｂとは、対称となる位置に設けられている。
【００２８】
このような本実施形態の表示装置１０Ａによれば、表示装置１０Ａの左右両側から把持位置を認識することができるから、キー１２の位置をより正確に把握することができる。
【００２９】
＜実施形態１の変形例２＞
図３は実施形態例１の変形例の他の例である。この表示装置１０Ｂには、左右の側面に加え、上下の側面にも、第１検知部１３Ａおよび第２検知部１３Ｂと同様の第３検知部１３Ｃおよび第４検知部１３Ｄが設けられている。第３検知部１３Ｃおよび第４検知部１３Ｄは、上側面および下側面の各中央部分、すなわち、３列目のキー１２ｃに対応する領域に設けられている。
【００３０】
このような本実施形態の表示装置１０Ｂによれば、第３検知部１３Ｃまたは第４検知部１３Ｄを触感で認識することにより、目視しなくても、左右方向に並んだ各キー１２の位置をより正確に把握することができる。
【００３１】
＜実施形態２＞
図４は本発明の実施形態２の表示装置２０である。本実施形態の検知部２３は、右側面の表面から凹状に窪んだ凹部とされているところが、上記実施形態１と相違している。他の部分は、実施形態１と同様とされている。
【００３２】
このような本実施形態の表示装置２０によっても、ユーザーは、検知部２３の触感により把持位置を認識することができる。ひいては、目視しなくてもキーの位置を把握し、キー入力することができる。
【００３３】
＜実施形態３＞
図５は本発明の実施形態３の表示装置３０である。本実施形態の検知部３３は、外表面３４のうち右側面において、上から二段目のキー３２Ｂに対応する領域（隣接する領域）をその上方側の領域および下方側の領域と区切るように設けられた一対の直線状のリブ３５，３５（突出部の一例）により形成されているところが、上記実施形態１と相違している。換言すると、一対のリブ３５，３５は、上から一段目のキー３２Ａおよび二段目のキー３２Ｂと、上から二段目のキー３２Ｂおよび三段目のキー３２Ｃの境界部に設けられている。
【００３４】
このような本実施形態の表示装置３０によれば、ユーザーは、一対の直線状のリブ３５，３５の触感により、把持位置を認識することができる。ひいては、目視しなくてもキー入力が可能である。
【００３５】
＜実施形態４＞
図６は本発明の実施形態４の表示装置４０である。本実施形態の検知部４３は、右側面において、実施形態３の一対のリブ３５，３５の代わりに、一対の直線状の溝部４６，４６（凹部の一例）を設けた形態とされている。
【００３６】
このような本実施形態の表示装置４０によれば、ユーザーは、一対の直線状の溝部４６，４６の触感により、把持位置を認識することができる。ひいては、目視しなくてもキー入力が可能である。
【００３７】
＜実施形態５＞
図７は本発明の実施形態５の表示装置５０の右側面図である。本実施形態の検知部５３は、右側面において、上から二段目の入力キーに対応する領域の表面粗さ（表面性状の一例）が、その上方側の領域および下方側の領域よりも粗く形成されることにより、把持位置を認識可能な検知部５３とされている。
【００３８】
このような本実施形態の表示装置５０によれば、ユーザーは、外表面５４の触感の違いにより把持位置を認識することができる。ひいては、目視しなくてもキー入力が可能である。
【００３９】
＜実施形態６＞
図８および図９は、実施形態６の表示装置６０の平面図および右側面図である。本実施形態において、検知部６３は実施形態１と同様の形態の突出部とされている。検知部６３は、表示装置６０の右側面および左側面において、上から１段目のキー６２Ａおよび３段目のキー６２Ｃに隣接する領域に並んで設けられている。また、下側面においては、２列目のキー６２ｂおよび４列目のキー６２ｄに隣接する領域に並んで設けられている。
【００４０】
さらに、表示装置６０の少なくとも右側面および左側面のうち、検知部６３以外の領域（外表面６４）は、検知部６３より表面粗さが粗くされている（図９参照）。
【００４１】
このような本実施形態の表示装置６０によっても、ユーザーは、突出部とされた検知部６３により、把持位置を認識することができる。しかも、右側面および左側面のうち、検知部６３以外の領域は表面粗さが粗くされているから、触感によって把持位置をより認識し易い。
【００４２】
なお、表面粗さが粗い領域は、右側面および左側面に限るものでなく、上下の側面や裏面も全体を粗くしてもよい。
【００４３】
＜実施形態７＞
図１０および図１１は、実施形態７の表示装置７０の背面図およびＡ−Ａ断面図である。実施形態７においては、検知部７３は、表示装置７０の裏面に設けられている。
【００４４】
検知部７３は、表示装置７０の裏面（外表面７４）から突出する突出部である。この検知部７３は、裏面のうち、表示面７１の２段目かつ３列目のキー７２Ｂｃに対応する領域（７２Ｂｃの裏側）に設けられており、扁平な略直方体状とされている。
【００４５】
このような実施形態７の表示装置７０によれば、例えば片手で把持した場合に、ユーザーは手の平で検知部７３を認識し、キー７２の位置を把握することができる。
【００４６】
＜実施形態８＞
図１２は、実施形態８の表示装置８０の断面図である。実施形態８において検知部８３は、実施形態７と同様の領域に設けられているが、その形態が突出部ではなく、裏面（外表面８４）から凹状に窪む凹部とされているところが、実施形態７と相違している。
【００４７】
＜実施形態９＞
図１３および図１４は実施形態９の表示装置９０の背面図およびＢ−Ｂ断面図である。実施形態９においては、表示装置９０の裏面（外表面９４）に検知用の突出部（検知部９３）が複数設けられており、それらが千鳥格子状に配されていることを特徴としている。各検知部９３は、表示面９１に表示されるキーに対応する位置（キーの裏側）に設けられている。
【００４８】
＜実施形態１０＞
図１５および図１６は実施形態１０の表示装置１００の背面図およびＣ−Ｃ断面図である。実施形態１０においては、表示装置１００の裏面（外表面１０４）に設けられた検知用の複数の凹部（検知部１０３）が、表示面１０１に表示される文字入力用の全てのキーに対応する領域に設けられている。
【００４９】
＜実施形態１１＞
図１７および図１８は実施形態１１の表示装置１１０の背面図およびＤ−Ｄ断面図である。実施形態１１においては、表示装置１１０の裏面（外表面１１４）に、格子状に配されたリブ１１５（検知部１１３）が設けられていることを特徴としている。リブ１１５は、複数の入力キーの境界部に対応する領域（境界部の裏側）に設けられている。
【００５０】
＜実施形態１１の変形例１＞
図１９は、実施形態１１のリブ１１５の代わりに溝部１１６（検知部１１３Ａ）を設けた表示装置１１０Ａの断面図である。
【００５１】
＜実施形態１２＞
図２０は実施形態１２の表示装置１２０の背面図である。実施形態１２においては、検知部１２３は、表示装置１２０の裏面（外表面１２４）に設けられた、周囲より表面粗さが粗くされた領域である。この検知部１２３は、裏面のうち、表示面の２段目かつ３列目のキー１２２Ｂｃに対応する領域を概ね覆う略矩形とされている。
【００５２】
＜実施形態１２の変形例１＞
図２１は、実施形態１２の略長方形状の検知部１２３を円形とした（検知部１２３Ａ）表示装置１２０Ａである。
【００５３】
＜実施形頼１２の変形例２＞
図２２は、実施形態１２の略長方形状の検知部１２３をクロス状とした（検知部１２３Ｂ）表示装置１２０Ｂである。
【００５４】
＜実施形態１３＞
図２３は実施形態１３の表示装置１３０の背面図である。実施形態１３においては、表示装置１３０の裏面（外表面１３４）に、表面粗さが周囲とは異なる複数の検知部１３３が千鳥格子状に配されていることを特徴としている。各検知部１３３は略長方形状をなしており、表示面に表示される入力キーに対応する位置（裏側）に設けられている。
【００５５】
＜実施形態１３の変形例１＞
図２４は、実施形態１３の略長方形状の検知部１３３を円形とした（検知部１３３Ａ）表示装置１３０Ａである。
【００５６】
＜実施形態１４＞
図２５は実施形態１４の表示装置１４０の背面図である。実施形態１４においては、表示装置１４０の裏面（外表面１４４）に、表面硬さが周囲とは異なり、ゴムのような柔らかい材料で形成された検知部１４３を備えている。検知部１４３は表示面に表示されるキーに対応する領域（裏側）に千鳥格子状に配された部分が、斜めに連続されることにより形成されている。
【００５７】
＜実施形態１４の変形例１＞
図２６は、実施形態１４の変形例であって、検知部１４３Ａの連続の仕方が上記実施形態１４とは異なった形態の表示装置１４０Ａである。
【００５８】
＜実施形態１５＞
図２７は、表示面１５１に音声マイク用のキー１５２を表示させた状態の表示装置１５０である。一方図２８は、表示装置１５０の背面図であって、音声マイク用のキー１５２に対応する領域（裏側）に検知部１５３が設けられている。
【００５９】
検知部１５３は、図２８および図２９に示すように、裏面（外表面１５４）から環状に突出するリブ１５５（突出部）である。本実施形態によれば、ユーザーは音声入力を行う際に、目視することなく、検知部１５３の触感により音声マイク用のキー１５２の位置を把握することができる。
【００６０】
＜実施形態１５の変形例１＞
図３０は、実施形態１５の環状に突出するリブ１５５の代わりに、裏面（外表面１５４）から略円柱状に突出する検知部１５３Ａを備える表示装置１５０Ａである。
【００６１】
＜実施形態１５の変形例２＞
図３１は、実施形態１５の環状に突出するリブ１５５の代わりに、裏面（外表面１５４）から環状に窪む溝部１５６からなる検知部１５３Ｂを備える表示装置１５０Ｂである。
【００６２】
＜実施形態１５の変形例３＞
図３２は、実施形態１５の環状に突出するリブ１５５の代わりに、裏面（外表面１５４）から凹状に窪む凹部とされた検知部１５３Ｃを備える表示装置１５０Ｃである。
【００６３】
＜実施形態１５の変形例４＞
図３３は、実施形態１５の環状に突出するリブ１５５の代わりに、裏面（外表面１５４）に周囲とは表面粗さが異なる環状の領域が形成された検知部１５３Ｄを備える表示装置１５０Ｄである。
【００６４】
＜実施形態１５の変形例５＞
図３４は、実施形態１５の環状に突出するリブ１５５の代わりに、裏面（外表面１５４）に周囲とは硬度が異なる、例えば内側がゴムのような軟質材料からなる円形の検知部１５３Ｅを備える表示装置１５０Ｅである。
【００６５】
＜他の実施形態＞
本発明は上記記述及び図面によって説明した実施形態に限定されるものではなく、例えば次のような実施形態も本発明の技術的範囲に含まれる。
【００６６】
（１）上記実施形態ではスマートフォンのような片手で把持可能な小型の表示装置の例を示したが、表示装置は上記実施形態に限るものではなく、比較的大型の表示装置についても本発明を適用させることができる。
【００６７】
（２）検知部の数や位置は上記実施形態に限るものではなく、適宜設定することができる。例えば、複数並んだ入力用のキーの端部と、キー以外の表示部分との境界部に設けてもよい。
【００６８】
（３）突出部の突出形態は上記実施形態に限らず、例えば円弧状に突出する形態とする等、任意の形態とすることができる。
【００６９】
（４）表面性状について、上記実施形態では表面粗さを変化させることにより検知部を認識可能とする構成を示したが、表面粗さだけでなく、例えば平面と波型面により変化させる等、他の形態とすることもできる。
【００７０】
（５）検知部の平面的な形状はどのようにしてもよい。例えば検知部を表示装置の裏面に設ける場合には、企業のロゴ、イラスト、それらの一部等としてもよく、要は、周囲と触感で識別可能であればどのような形状でもよい。
【００７１】
（６）上記実施形態では、検知部を表示装置の本体に設ける構成としたが、外表面がカバーにより構成されている表示装置のカバーに検知部を設ける構成としたものも、本発明の技術的範囲に含まれる。
【符号の説明】
【００７２】
１０，１０Ａ，１０Ｂ，２０，３０，４０，５０，６０，７０，８０，９０，１００，１１０，１１０Ａ，１２０，１２０Ａ，１２０Ｂ，１３０，１３０Ａ，１４０，１４０Ａ，１５０，１５０Ａ，１５０Ｂ，１５０Ｃ，１５０Ｄ，１５０Ｅ：表示装置、１１，７１，９１，１０１，１５１：表示面、１３，１３Ａ，１３Ｂ，２３，３３，４３，５３，６３，７３，８３，９３，１０３，１１３，１１３Ａ，１２３，１２３Ａ，１２３Ｂ，１３３，１３３Ａ，１４３，１４３Ａ，１５３，１５３Ａ，１５３Ｂ，１５３Ｃ，１５３Ｄ，１５３Ｅ：検知部、１４，３４，５４，６４，７４，８４，１０４，１１４，１２４，１３４，１４４，１５４：外表面
【図１】
2019091336.tif 000003
【図２】
2019091336.tif 000004
【図３】
2019091336.tif 000005
【図４】
2019091336.tif 000006
【図５】
2019091336.tif 000007
【図６】
2019091336.tif 000008
【図７】
2019091336.tif 000009
【図８】
2019091336.tif 000010
【図９】
2019091336.tif 000011
【図１０】
2019091336.tif 000012
【図１１】
2019091336.tif 000013
【図１２】
2019091336.tif 000014
【図１３】
2019091336.tif 000015
【図１４】
2019091336.tif 000016
【図１５】
2019091336.tif 000017
【図１６】
2019091336.tif 000018
【図１７】
2019091336.tif 000019
【図１８】
2019091336.tif 000020
【図１９】
2019091336.tif 000021
【図２０】
2019091336.tif 000022
【図２１】
2019091336.tif 000023
【図２２】
2019091336.tif 000024
【図２３】
2019091336.tif 000025
【図２４】
2019091336.tif 000026
【図２５】
2019091336.tif 000027
【図２６】
2019091336.tif 000028
【図２７】
2019091336.tif 000029
【図２８】
2019091336.tif 000030
【図２９】
2019091336.tif 000031
【図３０】
2019091336.tif 000032
【図３１】
2019091336.tif 000033
【図３２】
2019091336.tif 000034
【図３３】
2019091336.tif 000035
【図３４】
2019091336.tif 000036